(57)【要約】【課題】暖房を長期間使用しない場合、暖房用熱交換器３１内の水が腐敗しないよう確実に水腐敗防止運転を行なう。【解決手段】温水制御装置２２は、暖房運転が第１所定時間Ｔ１以上行なわれなかった場合、第２所定時間Ｔ２だけ第１送水ポンプ３２を運転させる。これは、第１所定時間Ｔ１内に暖房運転を行なった実績があれば、水腐敗防止運転は実行しないが、暖房運転が第１所定時間Ｔ１以上行なわれなかった場合は、水腐敗防止運転として１次側温水回路３０内の水を入れ替えるのに必要な第２所定時間Ｔ２だけ第１送水ポンプ３２を運転させるものである。これにより、暖房を長期間使用しない場合でも、１次側温水回路３０内の水が腐敗しないよう確実に水腐敗防止運転が行なわれる。【選択図】        図２
2004353899.tif 000002
【特許請求の範囲】
【請求項１】
高温の湯を貯湯する貯湯槽（１２）、前記湯を１次側に流通させて２次側の流体を加熱する熱交換手段（３１）、前記湯を前記熱交換手段（３１）に供給する第１送水手段（３２）を環状に接続し、前記湯を前記貯湯槽（１２）から前記熱交換手段（３１）を通して再度前記貯湯槽（１２）に還流させる１次側温水回路（３０）と、
前記熱交換手段（３１）、暖房器（５０、６０）、前記流体を前記暖房器（５０、６０）に供給する第２送水手段（４２）を環状に接続した２次側流体回路（４０）と、
前記１次側温水回路（３０）および前記２次側流体回路（４０）の循環を制御する温水制御手段（２２）とを備える給湯式暖房装置において、
前記温水制御手段（２２）は、第１所定時間（Ｔ１）以上暖房運転が行なわれなかった場合、第２所定時間（Ｔ２）だけ前記第１送水手段（３２）を運転させることを特徴とする給湯式暖房装置。
【請求項２】
前記温水制御手段（２２）は、第２所定時間（Ｔ２）だけ前記第１送水手段（３２）を運転することを、深夜の沸き上げ運転開始の直前に実施することを特徴とする請求項１に記載の給湯式暖房装置。
【請求項３】
前記第１所定時間（Ｔ１）として略一日としたことを特徴とする請求項１または請求項２に記載の給湯式暖房装置。
【請求項４】
前記第１所定時間（Ｔ１）として略一週間としたことを特徴とする請求項１または請求項２に記載の給湯式暖房装置。
【発明の詳細な説明】
【０００１】
【発明の属する技術分野】
本発明は、貯湯タンクの高温水を熱源として暖房（例えば、床暖房や浴室暖房乾燥等）を行なう給湯式暖房装置に関するものであり、特に暖房を長期間しない場合に暖房用熱交換器や温水循環回路中に滞留する水の腐敗防止に関する。
【０００２】
【従来の技術】
特許文献１〜５に示されるような従来の暖房機能付きガス・石油給湯器では、暖房を長期間使用しない場合、外部入力手段により、もしくは風呂への湯張り毎に暖房用熱交換器へ新鮮な水を供給して入れ替えることにより、暖房用熱交換器や温水循環回路中に滞留する水の腐敗防止を行なっている。
【０００３】
【特許文献１】
特開２００２−５４６２号公報
【０００４】
【特許文献２】
特開２００２−５４６３号公報
【０００５】
【特許文献３】
特開２００２−３９５５４号公報
【０００６】
【特許文献４】
特開２００２−１８８８１９号公報
【０００７】
【特許文献５】
特開２００２−１８８８５６号公報
【０００８】
【発明が解決しようとする課題】
しかしながら、上記従来技術を給湯式暖房装置に当てはめると、水の腐敗防止のため暖房用熱交換器へ湯を循環すると、入れ替わって暖房用熱交換器から戻って来た水は貯湯タンク内に給湯用水として溜められ、その後に沸き上げられて浴水としてのみならず飲料水としても供給されることとなる。そのため、長期間外部入力手段による水腐敗防止運転や風呂への湯張りが行なわれなかった場合、その後に循環させた時に腐敗した水が貯湯タンクに戻って来て浴水や飲料水として供給されるというおそれがある。
【０００９】
また、不用意に循環を行なうと、不必要な高温水が暖房用熱交換器に供給されて熱交換が実施され、貯湯タンクに蓄えた熱が無駄に使われるという問題がある。本発明は上記従来の問題に鑑みて成されたものであり、その目的は、暖房を長期間使用しない場合、暖房用熱交換器内の水が腐敗しないよう確実に水腐敗防止運転を行なうと共に、貯湯タンクの蓄熱を極力無駄にしない給湯式暖房装置を提供することにある。
【００１０】
【課題を解決するための手段】
上記目的を達成するために、請求項１ないし請求項４に記載の技術的手段を採用する。すなわち、請求項１に記載の発明によれば、高温の湯を貯湯する貯湯槽（１２）、湯を１次側に流通させて２次側の流体を加熱する熱交換手段（３１）、湯を熱交換手段（３１）に供給する第１送水手段（３２）を環状に接続し、湯を貯湯槽（１２）から熱交換手段（３１）を通して再度貯湯槽（１２）に還流させる１次側温水回路（３０）と、熱交換手段（３１）、暖房器（５０、６０）、流体を暖房器（５０、６０）に供給する第２送水手段（４２）を環状に接続した２次側流体回路（４０）と、１次側温水回路（３０）および２次側流体回路（４０）の循環を制御する温水制御手段（２２）とを備える給湯式暖房装置において、
温水制御手段（２２）は、第１所定時間（Ｔ１）以上暖房運転が行なわれなかった場合、第２所定時間（Ｔ２）だけ第１送水手段（３２）を運転させることを特徴としている。
【００１１】
これは、暖房運転として１次側温水回路（３０）の循環が行なわれれば、１次側温水回路（３０）内の水は供給される高温水と入れ替わるため、滞留して腐敗するようなことがない。そのため、第１所定時間（Ｔ１）内に暖房運転を行なった実績があれば、水腐敗防止運転は実行しないが、暖房運転が第１所定時間（Ｔ１）以上行なわれなかった場合は、水腐敗防止運転として１次側温水回路（３０）内の水を入れ替えるのに必要な第２所定時間（Ｔ２）だけ第１送水手段（３２）を運転させるものである。これにより、暖房を長期間使用しない場合でも、１次側温水回路（３０）内の水が腐敗しないよう確実に水腐敗防止運転が行なわれる。
【００１２】
請求項２に記載の発明によれば、温水制御手段（２２）は、第２所定時間（Ｔ２）だけ第１送水手段（３２）を運転することを、深夜の沸き上げ運転開始の直前に実施することを特徴としている。これは、不要な熱交換をできるだけ少なくするために、ユーザーがお湯を使用した後で貯湯槽（１２）内の蓄熱が一番低下した時、つまり深夜の沸き上げ運転開始の直前に水腐敗防止運転を実行するものである。これにより、貯湯槽（１２）の蓄熱を極力無駄にしないこととなる。
【００１３】
請求項３に記載の発明によれば、第１所定時間（Ｔ１）として略一日としたことを特徴としている。これにより、１次側温水回路（３０）内の水は最長でも略一日毎に入れ替わるため、滞留して腐敗するようなことがない。
【００１４】
請求項４に記載の発明によれば、第１所定時間（Ｔ１）として略一週間としたことを特徴とする。これは、暖房を使用する時期から使用しない時期への変わり目、例えば春先等はさほど気温が高くないことより１週間程度で水は腐敗しない。そのため、略一週間以上暖房運転が行なわれなかった場合は、水腐敗防止運転として１次側温水回路（３０）内の水を入れ替えるのに必要なだけ第１送水手段（３２）を第２所定時間（Ｔ２）だけ運転させるものである。
【００１５】
ちなみに、この後も暖房運転が行なわれない場合は、深夜の沸き上げ運転開始の直前毎に水腐敗防止運転が実施されることとなる。これにより、暖房を使用しなくなった１週間は水腐敗防止運転が作動しないため、運転回数を減らすことができる。尚、上記各手段の括弧内の符号は、後述する実施形態の具体的手段との対応関係を示すものである。
【００１６】
【発明の実施の形態】
（第１実施形態）
以下、本発明の実施の形態について、図に基づいて説明する。図１は、本発明の実施形態に係る多機能給湯装置の全体構成を示す模式図である。図に示すように、本実施形態の多機能給湯装置は貯湯式給湯装置１０、給湯式暖房装置２０、および暖房器である床暖房ユニット５０と浴室暖房乾燥器６０等から構成されている。
【００１７】
貯湯式給湯装置１０は、ヒートポンプサイクルからなる熱源装置であるヒートポンプ式給湯装置１１、このヒートポンプ式給湯装置１１により加熱された給湯用の湯を貯える貯湯タンク（貯湯槽）１２、貯えた湯を給湯対象個所へ導くための給湯配管１３、およびこれらを制御する給湯制御装置１００等から構成されている。ヒートポンプ式給湯装置１１は、当給湯装置１１の前後に、貯湯タンク１２内の最下部の水を吸い込むための吸入管１４ｂ、加熱した高温の湯を貯湯タンク１２内の最上部に吐出するための吐出管１４ａ、および貯湯タンク１２からなる循環回路の一部である。
【００１８】
本実施形態では冷媒に二酸化炭素（以下、ＣＯ２と記す）を用い、図示しない圧縮機、熱交換器などの冷凍サイクル機能部品より構成され、貯湯タンク１２内最下部から吸入した水を高温のＣＯ２冷媒との熱交換により加熱して貯湯タンク１２内最上部に戻すことにより、貯湯タンク１２内の水を沸き上げることができるようになっている。尚、冷媒にＣＯ２を採用すると、超臨界域を用いることで図示しない圧縮機からの冷媒吐出温度を高くすることができる。従って、フロン冷媒などを採用した場合よりも高温の湯（例えば、８０〜９０℃程度）を効率よく沸き上げることができる。
【００１９】
また、ヒートポンプ式給湯装置１１は、主に電気料金の安い深夜時間帯の交流電源（いわゆる深夜電力）を用いて貯湯タンク１２内の水を沸き上げる蓄熱運転を行なっているが、昼間時間帯においても、貯湯タンク１２内の貯えた湯が所定量以下に低下してくると、沸き上げ運転を行なうように制御されている。尚、ヒートポンプ式給湯装置１１は、給湯制御装置１００からの制御信号により作動すると共に、作動状態を給湯制御装置１００に出力するように接続されている。
【００２０】
次に、貯湯タンク１２は、耐食性に優れた金属製（例えば、ステンレス製）の容器であり、外周部に図示しない断熱材が配置されており、高温の湯を長時間に渡って保温することができるようになっている。貯湯タンク１２は縦長形状であり、その底面には導入口１２ｂが設けられ、この導入口１２ｂには貯湯タンク１２内の下部に水道水を導入する給水経路である給水配管１５が接続されている。
【００２１】
給水配管１５には、給水配管１５内を流れる水道水の水温を検出する図示しない給水サーミスタが設けられ、検出された温度情報を給湯制御装置１００に出力するようになっている。また、給水配管１５には、導入される水道水の水圧が所定圧となるように調節する図示しない減圧弁が設けられている。
【００２２】
更に、給水配管１５の下流端は、導入口１２ｂの他に、後述する混合弁１６の一方の入口側にも繋がれており、貯湯タンク１２と混合弁１６に水道水を導入するように構成されている。一方、貯湯タンク１２の最上部には導出口１２ａが設けられ、この導出口１２ａには貯湯タンク１２内の湯を導出するための給湯経路である給湯配管１３が接続されている。
【００２３】
そして、給湯配管１３には、使用者が設定した設定温度に温度調節する混合弁１６が設けられている。この混合弁１６は、給湯配管１３の下流端に設けられた図示しない給湯水栓が開弁した時に、開口面積比を調節することにより、導出口１２ａから導出された高温の湯と、給水配管１５から導入された水道水との混合比を調節できる温度調節弁である。
【００２４】
また、この混合弁１６は、サーボモータなどの駆動源により弁体を駆動して開度を調節する電動弁であり、給湯制御装置１００からの制御信号により作動すると共に、作動状態を給湯制御装置１００に出力するようになっている。また、混合弁１６の下流には出湯温度を検出する図示しない給湯サーミスタ、および給湯検出手段である図示しない流量カウンタが設けられ、検出された温度情報および流量情報を給湯制御装置１００に出力するようになっている。
【００２５】
尚、給湯配管１３の下流端は台所・洗面所・風呂等に配置された図示しない給湯水栓に通じており、給湯水栓を開弁した時に、設定温度に温度調節された湯が出湯されるものである。また、貯湯タンク１２の外壁面には図示しない複数の水位サーミスタが縦方向（貯湯タンク１２の高さ方向）にほぼ等間隔に配設され、貯湯タンク１２内に満たされた水の各水位レベルでの温度情報を給湯制御装置１００に出力するようになっている。
【００２６】
従って、給湯制御装置１００は、水位サーミスタからの温度情報に基づいて、貯湯タンク１２内上方の沸き上げた湯と、貯湯タンク１２内下方の沸き上げられる前の水との境界位置を検出できるようになっている。尚、水位サーミスタの一つは、貯湯タンク１２内の最上部外壁面に設けられており、導出口１２ａや後述する１次側温水回路３０に吸入される湯の温度である貯湯タンク１２内最上部の湯温を検出する出湯サーミスタの機能も有している。
【００２７】
給湯制御装置１００は、ヒートポンプ式給湯装置１１および給水配管１５・貯湯タンク１２・給湯配管１３に設けられた各サーミスタからの温度情報、流量カウンタからの流量情報、後述する給湯式暖房装置２０の運転信号、および操作パネル１０１からの操作信号に基づいて、ヒートポンプ式給湯装置１１および混合弁１６を制御するように構成されている。尚、操作パネル１０１は、浴室内や台所等湯を使用する場所の近傍に設置され、操作パネル１０１以外は屋外などの適所に配置されている。
【００２８】
次に、本発明の要部に係わる給湯式暖房装置２０の構成について説明する。１次側温水回路３０は、貯湯タンク１２内に貯えられた温水を利用して、後述する暖房器としての床暖房ユニット５０および浴室暖房乾燥器６０に暖房のための流体を供給する循環回路である。
【００２９】
１次側温水回路３０は、熱交換手段である暖房用熱交換器３１と、この暖房用熱交換器３１の一次側に導出口１２ａから貯湯タンク１２内の湯を流通させて貯湯タンク１２の下方に戻すように配設された循環水通路３３と、この循環水通路３３に設けられた第１送水手段である第１循環ポンプ３２等により構成されている。
【００３０】
暖房用熱交換器３１は、対向流型の水―水熱交換器であり、循環水通路３３内に流れる貯湯タンク１２内の高温の湯と、後述する２次側流体回路４０を循環する２次側流体とを熱交換するようになっている。また、第１循環ポンプ３２は、循環水通路３３内に貯湯タンク１２の湯を循環するための送水ポンプであり、図示しない電動部がＤＣブラシレスモータにて形成され、回転数が複数段階に切り換え可能なポンプで、後述する温水制御手段である温水制御装置２２によりフィードバック制御（ＰＩＤ制御）により回転数が可変されるように制御される。
【００３１】
また、水温検出手段である水温サーミスタ３４は、暖房用熱交換器３１の下流側に設けられ、熱交換後の貯湯タンク１２の下方に戻る水温を検出するセンサであって、検出された温度情報を温水制御装置２２に出力するようになっている。
【００３２】
２次側流体回路４０は、暖房用熱交換器３１から受熱した２次側流体の熱量を、暖房器である床暖房ユニット５０および浴室暖房乾燥器６０等に流通させる流体回路であって、上述した暖房用熱交換器３１と、この暖房用熱交換器３１で熱交換された２次側流体を暖房器５０・６０に供給する供給水路４３と、暖房器５０・６０からの戻り水を暖房用熱交換器３１に戻す戻り水路４６と、この戻り水路４６内に設けられた第２送水手段である第２循環ポンプ４２等により構成されている。
【００３３】
尚、第２循環ポンプ４２は、２次側流体を暖房用熱交換器３１から暖房器５０・６０に送水するための送水ポンプであって温水制御装置２２により制御される。４４は、暖房器５０・６０を迂回して両流路４３・４６を短絡するバイパス流路である。
【００３４】
暖房用熱交換器３１の入口近傍には、戻り側水温検出手段として水温サーミスタ４５が配設され、暖房用熱交換器３１に流入する２次側流体の温度情報を温水制御装置２２に出力するようになっている。また、暖房用熱交換器３１の出口近傍には、高温側水温検出手段として水温サーミスタ４１が配設され、暖房用熱交換器３１から流出する２次側流体の温度情報を温水制御装置２２に出力するようになっている。
【００３５】
次に、暖房器の例として、床暖房ユニット５０と浴室暖房乾燥器６０について説明する。まず床暖房ユニット５０は、床暖パネル５１内の配管５１ａに２次側流体を流通させて床を暖める暖房器であって、床暖パネル５１、床暖パネル５１に設けられ暖房温度を検出する暖房温度検出手段である床暖温度センサ５２、配管５１ａに流通する２次側流体の流通を開閉する温度調節手段としての熱動弁５３および温度制御手段である床暖制御装置２３等より構成されている。
【００３６】
温度調節手段である熱動弁５３は、床暖パネル５１の暖房出力を調節する開閉弁であって、使用者が設定した設定温度と、暖房温度検出手段である床暖温度センサ５２により検出された暖房温度との温度情報に基づいて床暖制御装置２３からの閉閉信号により制御される。
【００３７】
また、温度制御手段である床暖制御装置２３は、床暖操作盤２４からの操作信号と床暖温度センサ５２からの温度情報を入力して熱動弁５３を開閉制御する制御プログラムを有すると共に、床暖操作盤２４からの操作信号のうち運転信号が温水制御装置２２に出力されるようになっている。尚、床暖房ユニット５０は、例えば、洗面室や更衣室の床に設置されて暖房の用途に供されるものである。
【００３８】
次に、浴室暖房乾燥器６０について説明する。浴室暖房乾燥器６０は、２次側流体回路４０の供給水路４３に配設して、浴室内や更衣室等の暖房や浴室内の乾燥を行なう暖房器である。よって浴室内や更衣室等に温風を吹き出して暖房（乾燥）を行なうものであり、放熱器６１ａ、送風機６１ｂ、暖房温度を検出する暖房温度検出手段としての室温センサ６２、放熱器６１ａの暖房出力を調節する温度調節手段としての熱動弁６３、および温度制御手段である浴室暖房制御装置２５から構成されている。
【００３９】
熱動弁６３は、具体的には開閉弁であり、使用者が設定した設定温度と、室温センサ６２により検出される暖房温度との温度情報に基づいて浴室暖房制御装置２５からの閉閉信号により制御される。また、浴室暖房制御装置２５は、操作盤２６からの操作信号と室温センサ６２からの温度情報を入力して熱動弁６３を開閉制御する制御プログラムを有すると共に、操作盤２６からの操作信号のうち運転信号が温水制御装置２２に出力されるようになっている。
【００４０】
温水制御装置２２は、１次側温水回路３０に供給する貯湯タンク１２内の湯、および２次側流体回路４０内を循環する２次側流体を制御する制御装置であって、制御装置２３・２５から暖房器５０・６０の運転信号、貯湯タンク１２最上部の水位サーミスタ、および水温サーミスタ３４・４１・４５からの温度情報に基づいて第１循環ポンプ３２および第２循環ポンプ４２を制御するように構成されている。
【００４１】
次に、本発明の作動を、図２を用いて説明する。図２は、本発明の第１実施形態における水腐敗防止運転の制御概要を示すフローチャートである。まず、ステップＳ１１で一日以上暖房実績がないか否かを判定する。その判定結果がＹＥＳ、つまり一日以上暖房実績がない場合はステップＳ１２へ進み、深夜の沸き増し直前に、水腐敗防止運転として１次側温水回路３０内の水を入れ替えるのに必要な第２所定時間Ｔ２（本実施例では略一分間）だけ第１送水ポンプ３２を運転させる。また、ステップＳ１１での判定結果がＮＯ、つまり一日以内に暖房を行なった場合にはステップＳ１２をジャンプして本フローチャートを繰り返すものである。
【００４２】
次に、本実施形態での特徴について説明する。まず、温水制御装置２２は、第１所定時間Ｔ１以上暖房運転が行なわれなかった場合、第２所定時間Ｔ２だけ第１送水ポンプ３２を運転させている。これは、暖房運転として１次側温水回路３０の循環が行なわれれば、１次側温水回路３０内の水は供給される高温水と入れ替わるため、滞留して腐敗するようなことがない。
【００４３】
そのため、第１所定時間Ｔ１内に暖房運転を行なった実績があれば、水腐敗防止運転は実行しないが、暖房運転が第１所定時間Ｔ１以上行なわれなかった場合は、水腐敗防止運転として１次側温水回路３０内の水を入れ替えるのに必要な第２所定時間Ｔ２だけ第１送水ポンプ３２を運転させるものである。これにより、暖房を長期間使用しない場合でも、１次側温水回路３０内の水が腐敗しないよう確実に水腐敗防止運転が行なわれる。
【００４４】
また、温水制御装置２２は、第２所定時間Ｔ２だけ第１送水ポンプ３２を運転することを、深夜の沸き上げ運転開始の直前に実施している。これは、不要な熱交換をできるだけ少なくするために、ユーザーがお湯を使用した後で貯湯タンク１２内の蓄熱が一番低下した時、つまり深夜の沸き上げ運転開始の直前に水腐敗防止運転を実行するものである。これにより、貯湯タンク１２の蓄熱を極力無駄にしないこととなる。
【００４５】
また、第１所定時間Ｔ１として略一日としている。これにより、１次側温水回路３０内の水は最長でも略一日毎に入れ替わるため、滞留して腐敗するようなことがない。
【００４６】
（第２実施形態）
図３は、本発明の第２実施形態における水腐敗防止運転の制御概要を示すフローチャートであり、上述した第１実施形態とは、第１所定時間Ｔ１として略一週間とした点のみ異なる。それ以外は、第１実施形態で説明したものと同様である。本発明の作動としてまず、ステップＳ２１で一週間以上暖房実績がないか否かを判定する。
【００４７】
その判定結果がＹＥＳ、つまり一週間以上暖房実績がない場合はステップＳ２２へ進み、深夜の沸き増し直前に、水腐敗防止運転として１次側温水回路３０内の水を入れ替えるのに必要な第２所定時間Ｔ２（本実施例では略一分間）だけ第１送水ポンプ３２を運転させる。また、ステップＳ２１での判定結果がＮＯ、つまり一週間以内に暖房を行なった場合にはステップＳ２２をジャンプして本フローチャートを繰り返すものである。
【００４８】
次に、本実施形態での特徴について説明する。第１所定時間Ｔ１として略一週間としている。これは、暖房を使用する時期から使用しない時期への変わり目、例えば春先等はさほど気温が高くないことより１週間程度で水は腐敗しない。そのため、略一週間以上暖房運転が行なわれなかった場合は、水腐敗防止運転として１次側温水回路３０内の水を入れ替えるのに必要なだけ第１送水ポンプ３２を第２所定時間Ｔ２だけ運転させるものである。
【００４９】
ちなみに、この後も暖房運転が行なわれない場合は、深夜の沸き上げ運転開始の直前毎に水腐敗防止運転が実施されることとなる。これにより、暖房を使用しなくなった１週間は水腐敗防止運転が作動しないため、運転回数を減らすことができる。
【００５０】
（その他の実施形態）
上述の実施形態では、水腐敗防止運転で無駄な熱交換をしないための方法として、深夜の沸き上げ運転開始の直前に水腐敗防止運転を実施しているが、本発明はこれに限るものではなく、要は貯湯タンク１２内の温度が１日で一番低い時に水腐敗防止運転をすれば良い。また、供給水路４３に一つの床暖房ユニット５０と一つの浴室暖房乾燥器６０とを接続しているが、暖房器の構成は異なるものであっても良い。
【００５１】
尚、供給熱源を貯湯式給湯装置１０からとし、１次側流体は貯湯タンク１２からの高温水、その貯湯槽１２に貯湯する熱源装置にはＣＯ２冷媒を用いて超臨界ヒートポンプサイクルを構成するヒートポンプ式給湯装置１１を用いているが、本発明はこれらに限らず、貯湯タンク１２からの高温水で２次側流体を加熱するものであればフロン冷媒を用いてヒートポンプサイクルを構成する熱源装置を適用しても良いし、ガス・石油給湯器等の熱源装置を適用しても良い。
【図面の簡単な説明】
【図１】本発明の実施形態に係る多機能給湯装置の全体構成を示す模式図である。
【図２】本発明の第１実施形態における水腐敗防止運転の制御概要を示すフローチャートである。
【図３】本発明の第２実施形態における水腐敗防止運転の制御概要を示すフローチャートである。
【符号の説明】
１２…貯湯タンク（貯湯槽）
２２…温水制御装置（温水制御手段）
３０…１次側温水回路
３１…暖房用熱交換器（熱交換手段）
３１…第１送水ポンプ（第１送水手段）
４０…２次側流体回路
４２…第２送水ポンプ（第２送水手段）
５０…床暖房ユニット（暖房器）
６０…浴室暖房乾燥器（暖房器）
Ｔ１…第１所定時間
Ｔ２…第２所定時間
【図１】
2004353899.tif 000003
【図２】
2004353899.tif 000004
【図３】
2004353899.tif 000005